(57)【要約】【課題】  指股の伸縮性に優れ、縫合も不要な指袋付編地およびその編成方法を提供する。【解決手段】  靴下１をつま先側から編成する場合、指股３ａ，３ｂ，３ｃを連ねる位置が編出しライン６となる。五本胴５は、大略的に編幅の変化が少ない筒状に編成され、基端側に足挿入口５ａが開口する。５本の指袋２ａ，２ｂ，２ｃ，２ｄ，２ｅは、一方の針床を使用する引返し編みで形成される。隣接する指袋または胴部分との間の指股３ａ，３ｂ，３ｃ，３ｄ部分では、編幅の一部を重ねるので、指股３ａ，３ｂ，３ｃ，３ｄの伸縮性に優れる指股付編地を得ることができる。複数の指袋２ａ，２ｂ，２ｃ，２ｄ，１２ｅと接合され、複数段階で編幅が変化する胴部分としての四本胴４および五本胴５は、横編機の両方の針床を使用して筒状に編成するので、指袋付編地を容易に無縫製で編成することができる。【選択図】  図１
2008121152.tif 000002
【特許請求の範囲】
【請求項１】
少なくとも一対の対向する針床を有する横編機で編成され、胴部分と複数の指袋とを備える無縫製の指袋付編地において、
胴部分は、大略的に筒状で、一方側に開口し、他方側の先端付近では段階的に編幅が減少するように、対向する針床の両方を使用する周回編成で形成され、
複数の指袋は、胴部分の編幅が段階的に減少する位置で編幅が小さい方の胴部分とともに編幅が大きい方の胴部分から分岐する指袋と、編幅が最小の胴部分から他の指袋とともに分岐する指袋とを含み、
各指袋は、一方の針床を使用する引返し編みで形成され、かつともに分岐して隣接する指袋または胴部分との間の指股部分で編幅の一部が重なっていることを特徴とする指袋付編地。
【請求項２】
少なくとも一対の対向する針床を有する横編機で、段階的に編幅が変化する胴部分と複数の指袋とを備える無縫製の指袋付編地を編成する方法において、
対向する針床の両方の編針に掛け目して編出す編出しステップと、
一方の針床の編針を使用し、編幅が最小の胴部分から分岐する複数の指袋を、編出しの掛け目に続いて、引き返し編みで編幅を減少させてから増加させるように順次編成しながら、編幅の増加側の各編成コースの編端を編幅の減少側で対応する編成コースの編端に接続し、隣接する指袋間の指股では先行する指袋の編幅の途中から後続の指袋を編成して編幅の一部を重ねる指袋編成ステップと、
両方の針床の編針を使用し、編幅が段階的に増加する胴部分を、筒状に編成する胴部分編成ステップと、
胴部分編成ステップ内で胴部分の編幅が段階的に増加する毎に、編幅の増加前の胴部分と隣接する指袋を、該胴部分の端部から両方の針床の編針によって編出し、編出しの範囲と該胴部分で編出しの範囲に隣接する部分とを含む編幅の範囲で、一方の針床の編針による引き返し編みで、編幅を減少させてから増加させるように順次編成しながら、編幅の増加側の各編成コースの編端を編幅の減少側で対応する編成コースの編端に接続する段階編成ステップとを含み、
各胴部分は、直前に編成される指袋の最終となる編成コースの編目の全てを部分的に含む編幅で編成することを特徴とする指袋付編地の編成方法。
【請求項３】
前記編出しステップは、前記編幅が最小の胴部分の編成に使用する編針について行うことを特徴とする請求項２記載の指袋付編地の編成方法。
【請求項４】
前記編出しステップは、前記指袋編成ステップで最初に編成する指袋の編幅の範囲について行い、
前記指袋編成ステップで先行する指袋の途中から後続の指袋を編成する際に、該後続の指袋の編幅の範囲について前記両方の針床の編針に掛け目を行って編出すことを特徴とする請求項２記載の指袋付編地の編成方法。
【請求項５】
少なくとも一対の対向する針床を有する横編機で、段階的に編幅が変化する胴部分と複数の指袋とを備える無縫製の指袋付編地を編成する方法において、
編幅が最大の胴部分から段階的に編幅が減少する胴部分を、両方の針床の編針を用いて筒状に編成する胴部分編成ステップと、
胴部分編成ステップ内で胴部分の編幅が段階的に減少する毎に、編幅の減少後の胴部分に隣接する指袋を、編幅の減少前の胴部分の端部から、一方の針床の編針による引き返し編みで編幅を減少させてから増加させるように順次編成しながら、編幅の増加側の各編成コースの編端を編幅の減少側で対応する編成コースの編端に接続し、最終となる編成コースの編目の一部を他方側の針床に係止される編幅の減少前の胴部分の端部の編目と重ねて伏目接続するとともに、該伏目接続部分を除く編幅の減少前の胴部分の編幅で、編幅の減少後の胴部分を編成する段階編成ステップと、
編幅が最小の胴部分から分岐する複数の指袋を、編幅が最小の胴部分の端部から、一方の針床の編針による引き返し編みで編幅を減少させてから増加させるように順次編成しながら、編幅の増加側の各編成コースの編端を編幅の減少側で対応する編成コースの編端に接続し、隣接する指袋間の指股では先行する指袋の編幅の途中から後続の指袋を編成して編幅の一部を重ねる指袋編成ステップとを含むことを特徴とする指袋付編地の編成方法。
【発明の詳細な説明】
【技術分野】
【０００１】
本発明は、横編機で筒状に編成する靴下や手袋などで、段階的に編幅が変化する胴部分と複数の指袋とを有する指袋付編地およびその編成方法に関する。
【背景技術】
【０００２】
従来から、複数の指袋を設ける靴下などを編無縫製で編成するために、前後に対向して設けた針床を有する横編機が用いられている（たとえば、特許文献１参照。）。横編機では、前後の針床を用いる周回編成で各指袋と胴部分とをそれぞれ形成し、指袋と胴部分とを指股で重ねるなどの処理を行って無縫製で接合することができる。
【０００３】
複数の指袋を設ける靴下などを、丸編機のみでは無縫製で編成することができない（たとえば、特許文献２参照。）。特許文献２では、複数の指袋で足指を個別的に収容するつま先部を横編機などで編成し、つま先部以外の足の部位にフィットするように丸編機で編成される筒状部とつま先部とを縫合するようにしている。
【特許文献１】特開平９−１５７９０８号公報
【特許文献２】特開２００２−２０１５０１号公報
【発明の開示】
【発明が解決しようとする課題】
【０００４】
特許文献１に記載されている編成コース図では、各指袋を周回編成で筒状に順次編成すると、周回編成による胴部分の筒状編成に移行している。このような編成方法では、指股の部分で足表側と足裏側との間に厚みを充分に得ることができない。また、このような編成方法では、指股に孔が開いてしまう。種々の股閉じ方法が知られているけれども、それらの股閉じ方法では、指股の伸縮性が制限される。
【０００５】
特許文献２に開示されているように、つま先部を横編機で編成する場合も、指袋を筒状に編成して指股で重ねる点では特許文献１と同様な問題を有する。また、つま先部と丸編機で編成する筒状部との縫合部分には、着用感の難点が生じる。また縫合を必要とするので、靴下の編成に必要な手間が増加する。
【０００６】
本発明の目的は、指股での厚みを充分に得ることができ、伸縮性に優れ、縫合も不要な指袋付編地およびその編成方法を提供することである。
【課題を解決するための手段】
【０００７】
本発明は、少なくとも一対の対向する針床を有する横編機で編成され、胴部分と複数の指袋とを備える無縫製の指袋付編地において、
胴部分は、大略的に筒状で、一方側に開口し、他方側の先端付近では段階的に編幅が減少するように、対向する針床の両方を使用する周回編成で形成され、
複数の指袋は、胴部分の編幅が段階的に減少する位置で編幅が小さい方の胴部分とともに編幅が大きい方の胴部分から分岐する指袋と、編幅が最小の胴部分から他の指袋とともに分岐する指袋とを含み、
各指袋は、一方の針床を使用する引返し編みで形成され、かつともに分岐して隣接する指袋または胴部分との間の指股部分で編幅の一部が重なっていることを特徴とする指袋付編地である。
【０００８】
さらに本発明は、少なくとも一対の対向する針床を有する横編機で、段階的に編幅が変化する胴部分と複数の指袋とを備える無縫製の指袋付編地を編成する方法において、
対向する針床の両方の編針に掛け目して編出す編出しステップと、
一方の針床の編針を使用し、編幅が最小の胴部分から分岐する複数の指袋を、編出しの掛け目に続いて、引き返し編みで編幅を減少させてから増加させるように順次編成しながら、編幅の増加側の各編成コースの編端を編幅の減少側で対応する編成コースの編端に接続し、隣接する指袋間の指股では先行する指袋の編幅の途中から後続の指袋を編成して編幅の一部を重ね、最後に編成する指袋で最終となる編成コースの編目を他方の針床の編針に係止させる指袋編成ステップと、
両方の針床の編針を使用し、編幅が段階的に増加する胴部分を、筒状に編成する胴部分編成ステップと、
胴部分編成ステップ内で胴部分の編幅が段階的に増加する毎に、編幅の増加前の胴部分と隣接する指袋を、該胴部分の端部から両方の針床の編針によって編出し、編出しの範囲と該胴部分で編出しの範囲に隣接する部分とを含む編幅の範囲で、一方の針床の編針による引き返し編みで、編幅を減少させてから増加させるように順次編成しながら、編幅の増加側の各編成コースの編端を編幅の減少側で対応する編成コースの編端に接続する段階編成ステップとを含み、
各胴部分は、直前に編成される指袋の最終となる編成コースの編目の全てを部分的に含む編幅で編成することを特徴とする指袋付編地の編成方法である。
【０００９】
また本発明の前記編出しステップは、前記編幅が最小の胴部分の編成に使用する編針について行うことを特徴とする。
【００１０】
また本発明の前記編出しステップは、前記指袋編成ステップで最初に編成する指袋の編幅の範囲について行い、
前記指袋編成ステップで先行する指袋の途中から後続の指袋を編成する際に、該後続の指袋の編幅の範囲について前記両方の針床の編針に掛け目を行って編出すことを特徴とする。
【００１１】
さらに本発明は、少なくとも一対の対向する針床を有する横編機で、段階的に編幅が変化する胴部分と複数の指袋とを備える無縫製の指袋付編地を編成する方法において、
編幅が最大の胴部分から段階的に編幅が減少する胴部分を、両方の針床の編針を用いて筒状に編成する胴部分編成ステップと、
胴部分編成ステップ内で胴部分の編幅が段階的に減少する毎に、編幅の減少後の胴部分に隣接する指袋を、編幅の減少前の胴部分の端部から、一方の針床の編針による引き返し編みで編幅を減少させてから増加させるように順次編成しながら、編幅の増加側の各編成コースの編端を編幅の減少側で対応する編成コースの編端に接続し、最終となる編成コースの編目の一部を他方側の針床に係止される編幅の増加前の胴部分の端部の編目と重ねて伏目接続するとともに、該伏目接続部分を除く編幅の増加前の胴部分の編幅で、編幅の減少後の胴部分を編成する段階編成ステップと、
編幅が最小の胴部分から分岐する複数の指袋を、編幅が最小の胴部分の端部から、一方の針床の編針による引き返し編みで編幅を減少させてから増加させるように順次編成しながら、編幅の増加側の各編成コースの編端を編幅の減少側で対応する編成コースの編端に接続し、隣接する指袋間の指股では先行する指袋の編幅の途中から後続の指袋を編成して編幅の一部を重ねる指袋編成ステップとを含むことを特徴とする指袋付編地の編成方法である。
【発明の効果】
【００１２】
本発明によれば、指袋は、一方の針床を使用する引返し編みで形成され、隣接する指袋または胴部分との間の指股部分で編幅の一部が重なる。指袋付編地を着用して指袋に指を挿入すると、指股部分で編幅の一部が重なる部分で充分な厚みが得られるように編地がまわり込むので、指股の伸縮性に優れる指股付編地を得ることができる。複数の指袋と接合され、複数段階で編幅が変化する胴部分は、横編機の両方の針床を使用して筒状に編成するので、指袋付編地を容易に無縫製で編成することができる。
【００１３】
さらに本発明によれば、少なくとも一対の対向する針床を有する横編機で、段階的に編幅が変化する胴部分と複数の指袋とを備える指袋付編地を、指袋の指股部分から編成することができる。指袋は、対向する針床の両方の編針に掛け目して編出して、一方の針床の編針を使用する引き返し編みで編幅を減少させてから増加させて順次編成し、編幅の減少側の編端と編幅の増加側の編端とを接続しながら、隣接する指袋間の指股では先行する指袋の編幅の途中から後続の指袋を編成して指袋の編幅の一部を重ねて接合する。指袋付編地を着用して指袋に指を挿入すると、指股部分で編幅の一部が重なる部分で充分な厚みが得られるように編地がまわり込む。指袋を筒状に編成して指股で隣接する指袋の編目を重ねて接合する場合のような、指股での伸縮性に優れる指袋付編地を無縫製で編成することができる。
【００１４】
また本発明によれば、最小の胴部分の編成に使用する両方の針床の編針で編出して、その胴部分に接合される複数の指袋を一方の針床の編針を使用する引き返し編みで編成する。編出しラインがそろうので、仕上りを美しくすることができる。
【００１５】
また本発明によれば、最小の胴部分に接合される複数の指袋を、両方の針床の編針を使用する編出しと一方の針床の編針を使用する引き返し編みで順次編成するので、各指袋に胴部分を形成して、たとえば二本胴から五本胴のすべてを有する靴下なども編成することができる。
【００１６】
さらに本発明によれば、少なくとも一対の対向する針床を有する横編機で、段階的に編幅が変化する胴部分と複数の指袋とを備える指袋付編地を、編幅が最大の胴部分から編出して編成することができる。指袋は、対向する針床の両方の編針に掛け目して編出して、一方の針床の編針を使用する引き返し編みで編幅を減少させてから増加させて編成し、編幅の減少側の編端と編幅の増加側の編端とを接続しながら、隣接する指袋間の指股では先行する指袋の編幅の途中から後続の指袋を編成して編幅の一部を重ねる。指袋付編地を着用して指袋に指を挿入すると、指股部分で編幅の一部が重なる部分で充分な厚みが得られるように編地がまわり込む。指袋を筒状に編成して隣接する指袋の編目を重ねる場合のような、指股での伸縮性に優れる指袋付編地を無縫製で編成することができる。
【発明を実施するための最良の形態】
【００１７】
図１は、本発明の実施の一形態である指袋付編地として編成される靴下１の足表の外観形状を簡略化して示す。靴下１は、つま先側に５本の指袋２ａ，２ｂ，２ｃ，２ｄ，２ｅを備える右足用である。靴下１を左足用とする場合は、指袋２ａ，２ｂ，２ｃ，２ｄ，２ｅの配置を対称にすればよい。拇指である第１指から小指である第５指までをそれぞれ収容する５本の指袋２ａ，２ｂ，２ｃ，２ｄ，２ｅのうち、第１指袋２ａから第４指袋２ｄまでは、指股３ａ，３ｂ，３ｃを挟んでそれぞれ隣接し、四本胴４の先端から分岐する。第５指袋２ｅは、四本胴４に指股３ｄを挟んで隣接し、四本胴４とともに五本胴５の先端から分岐する。
【００１８】
５本の指袋２ａ，２ｂ，２ｃ，２ｄ，２ｅは、それぞれの付け根で編幅が最大となり、先端側で編幅が順次減少して閉じるような袋状に編成される。靴下１をつま先側から編成する場合、図２で説明するように、指股３ａ，３ｂ，３ｃを連ねる位置が編出しライン６となる。五本胴５は、大略的に編幅の変化が少ない筒状に編成され、基端側に足挿入口５ａが開口する。五本胴５の足挿入口５ａの周辺は、ゴム編み組織の編成や、弾性糸の挿入などで、伸縮性が増大するように形成されている。五本胴５では、足裏側に踵を収容する凸部を設けたり、足首で細くしたりして、足の形状にフィットしやすくすることが多いけれども、図示は省略する。
【００１９】
靴下１を足挿入口５ａ側から見る構成では、五本胴５が一方側に開口する筒状であり、他方側の先端付近では段階的に編幅が減少して四本胴４に連なる。第５指袋２ｅは、五本胴５と四本胴４とからなる胴部分の編幅が段階的に減少する位置で編幅が大きい方の胴部分である五本胴５の他方側から、編幅が小さい方の胴部分である四本胴４に隣接するように分岐する。他の４本の指袋２ａ，２ｂ，２ｃ，２ｄは、編幅が最小の胴部分となる四本胴４の他方側から他の指袋に隣接するように分岐する。
【００２０】
図２は、編地を編成する歯口の前後に、少なくとも一対の針床を備える横編機で図１の靴下１を編成する方法の一例を、順次的なコース編成で形成する指袋付編地の範囲として概略的に示す。ただし、コース数および編幅は説明の便宜を図るために示すものであり、実際に靴下１として編成する場合のコース数とは同一とは限らない。特に指袋２ａ，２ｂ，２ｃ，２ｄ，２ｅは同等に記載しているけれども、図１に示すようにコース数や編幅は各指袋２ａ，２ｂ，２ｃ，２ｄ，２ｅで異なるようにすることができる。以下の説明で、各指袋２ａ，２ｂ，２ｃ，２ｄ，２ｅおよび各指股３ａ，３ｂ，３ｃ，３ｄに共通な事項に対しては、指袋２および指股３のようにそれぞれ総称する。
【００２１】
編出しは、前後の針床の両方で四本胴４の編幅に対応する範囲の編針を使用し、前後に交互に掛け目して行う。次に、４本の指袋２の編成を、前後の針床のうちの一方、たとえば前針床の編針を用いる引き返し編みで、付け根から先端へ編幅が減少し、先端から付け根へ編幅が増大するようにして行う。各編成コースでは、入側でタックを行う。このタックを介して、編幅の減少側の編端と編幅の増加側の編端とが接合され、各指袋２は袋状に形成される。４本の指袋２を順次編成する際に、それぞれ隣接する指袋間の指股３では先行する指袋２の編幅の途中から後続の指袋２をそれぞれ編成して指袋２の編幅を部分的に重ねる。各編成コースの編端の接合は、タックを行わなくても可能である。しかしながら、タックを行う方が孔などを少なくすることができ、仕上りが美しくなるので好ましい。
【００２２】
４本の指袋２ａ，２ｂ，２ｃ，２ｄが編成されると、前後両方の針床で、編出しの掛け目をした範囲の編針を使用し、編糸を周回させる筒編みで、四本胴４を編成する。四本胴４の最後の編成コースでは、四本胴４を形成する筒編みとともに、五本胴５の編成に使用する編針の範囲まで、前後両方の針床の編針を使用する掛け目で、第５指袋２ｅ編成のための編出しを行う。
【００２３】
第５指袋２ｅは、一方の針床の編針を使用して、他の４本の指袋２ａ，２ｂ，２ｃ，２ｄと同様に、袋状に編成する。ただし、最初の編成コースでは、編出しの掛け目の範囲とともに、四本胴４の最後の編成コースで編出しの掛け目に隣接する範囲の一部の編針を使用する。このようにして、第５指袋２ｅは、四本胴４の編幅の途中から重ねて編出し、袋状に編成することができる。第５指袋２ｅを編成すると、前後両方の針床の編針を使用する筒編みで、四本胴４および第５指袋２ｅを合わせた範囲の編幅で五本胴５を編成する。
【００２４】
図３は、図２に示す方法で、第５指袋２ｅの編成後、五本胴５の編成を開始する直前の編地の状態を概略的に示す。前針床の編針1１，１２，１３，１４，１５，１６，１７，１８，１９，…には、四本胴４の前針床側および第５指袋２ｅの最後の編成コースの編目がそれぞれ係止される。前針床に歯口で対峙する後針床の編針２１，２２，２３，２４，２５，２６，２７，２８，２９，…には、四本胴４の後針床側の最後の編成コースおよび第５指袋２ｅの編出しの掛け目がそれぞれ係止されている。このような状態から、前後両方の針床の編針を使用して筒編みを行えば、五本胴５を編成することができる。なお、説明の便宜のために、編針のみ示して、針床の図示は省略する。また、編成に使用する編針の本数や各部分に使用する割合も便宜的なものである。
【００２５】
図４は、実際に編成した靴下１つま先部分を示す。（ａ）は足表側から見た状態、（ｂ）は第２指袋２ｂ〜第５指袋２ｅを折返している状態を足裏側から見た状態を示す。（ａ）では、編出しライン６を破線で表示しているけれども、便宜的に書加えたものであり、実際には指股３ａ，３ｂ，３ｃを連ねる位置に、ほとんど目立たないように存在する。指股３ａ，３ｂ，３ｃ，３ｄは、図では横方向に形成されているけれども、靴下１を着用すると、足裏から足表の厚み方向となるように編地がまわり込むので、充分な厚みを得ることができるとともに、編目の重なりなどは生じないので、ゴワツキがなく、伸縮性も優れている。
【００２６】
図５は、図１の靴下１を編成する方法の他の例を、順次的なコース編成で形成する指袋付編地の範囲として概略的に示す。編出しライン７では、前後の針床の両方で第１指袋２ａの編幅に対応する範囲の編針を使用し、前後に交互に掛け目して行う。次に第１指袋２ａの編成を、図２の各指袋２ａ，２ｂ，２ｃ，２ｄ，２ｅと同様に、前後の針床のうちの一方、たとえば前針床の編針を用いる引き返し編みで、付け根から先端へ編幅が減少し、先端から付け根へ編幅が増大するようにして行う。ただし、第１指袋２ａの最後の編成コースでは、第２指袋２ｂを編成する範囲で、前後の針床の編針に掛け目する編出しも行う。第２指袋２ｂの編成は、一方の針床の編針を使用して、第１指袋２ａと同様に行う。すなわち、第２指袋２ｂは、第１指袋２ａの編幅の途中から重ねて編出し、袋状に編成することができる。以下同様に、第３指袋２ｃおよび第４指袋２ｄを順次編成する。四本胴４、第５指袋および五本胴５の編成は、図２と同様に行う。
【００２７】
以上で説明したように、５本の指袋２ａ，２ｂ，２ｃ，２ｄ，２ｅは、一方の針床を使用する引返し編みで形成され、隣接する指袋または胴部分との間の指股３で編幅の一部が重ねられるので、指股３の伸縮性に優れる指股付編地を得ることができる。複数の指袋２と接合され、複数段階で編幅が変化する胴部分としての四本胴４および五本胴５は、横編機の両方の針床を使用して筒状に編成するので、指袋付編地を容易に無縫製で編成することができる。
【００２８】
図１の靴下１を編成する方法として、図５の編成方向を逆にすることも可能である。すなわち、五本胴５を足挿入口５ａ側から編成し、途中で足裏側に踵の部分などを付加した後、第５指袋２ｅを編成する。第５指袋２ｅでは、図５で前後掛け目を行っている部分に相当する部分を、対向する針床の五本胴５の編目と重ねて伏目接続する。伏目接続する編幅は、第５指袋２ｅの編幅よりも狭くし、残りの編幅を含む筒状の部分で、四本胴４を編成する。四本胴４の編成後、第１指袋２ａ〜第４指袋２ｄを順次編成し、図５で前後掛目を行っている部分に相当する部分を、それぞれ対向する針床の四本胴４の編目と重ねて伏目接続すればよい。
【００２９】
図６は、一方の針床としての前針床の編針に第１指袋２ａ、第２指袋２ｂ、第３指袋２ｃおよび第４指袋２ｄの最後の編成コースの編目をそれぞれ係止している状態を太い実線で示す。他方の針床としての後針床の編針には、太い二点鎖線で示すように、四本胴４の後針床での最後の編成コースの編目が係止されている。説明の便宜上、編針や針床の図示は省略する。この状態では、四本胴４および４つの指袋２ａ，２ｂ，２ｃ，２ｄの編成が終了し、それぞれの編地は歯口の下方に垂れ下がる。四本胴４の途中からは第５指袋２ｅが接合して五本胴５が形成される。前後の針床に係止されている太線で示す編目を重ねて伏目を行えば、図１に示す靴下１を完成させることができる。
【００３０】
また、各指袋２ａ，２ｂ，２ｃ，２ｄの編成毎に、最終となる編成コースの編目の一部を後針床の編針に係止される四本胴４で各指袋２ａ，２ｂ，２ｃ，２ｄに対応する編目と重ねて伏目接続してもよい。各指袋での最終となる編成コースの編目の残部を含むように、次の指袋の編成を開始して、最後の指袋２ｄの最終となる編成コースの編目を後編針に係止される四本胴４の端部で残存する編目と重ねて伏目接続すれば、図１に示す靴下１を完成させることができる。
【００３１】
以上の説明では、胴部分として、四本胴４および五本胴５を備えているけれども、指袋２本分の二本胴、３本分の三本胴を同様に編成することもできる。また、指袋２は、足表側と足裏側とを編端で接続するので、指股３から指先まで段階的に編幅を狭くしなければならない。したがって、手袋の指袋のような長いものを編成することは困難であるけれども、側面に大きな孔を設けるようなデザインとすれば編成可能となる。
【図面の簡単な説明】
【００３２】
【図１】本発明の実施の一形態である指袋付編地として編成される靴下１の足表の外観形状を簡略化して示す平面図である。
【図２】図１の靴下１を編成する方法の一例を概略的に示す図である。
【図３】図２に示す方法で、第５指袋２ｅの編成後、五本胴５の編成を開始する直前の編地の状態を概略的に示す斜視図である。
【図４】図１の靴下１のつま先部分を示す写真である。
【図５】図１の靴下１を編成する方法の他の例を概略的に示す図である。
【図６】図５の編成方法を逆にする編成方法で、前針床の編針に第１指袋２ａ、第２指袋２ｂ、第３指袋２ｃおよび第４指袋２ｄの最後の編成コースの編目をそれぞれ係止している状態を示す簡略化した斜視図である。
【符号の説明】
【００３３】
１  靴下
２ａ，２ｂ，２ｃ，２ｄ，２ｅ  指袋
３ａ，３ｂ，３ｃ，３ｄ  指股
４  四本胴
５  五本胴
６，７  編出しライン
【図１】
2008121152.tif 000003
【図２】
2008121152.tif 000004
【図３】
2008121152.tif 000005
【図４】
2008121152.tif 000006
【図５】
2008121152.tif 000007
【図６】
2008121152.tif 000008